(57)【特許請求の範囲】
【請求項１】
被覆対象となる畝（Ｕ）の左右最外端側に畝（Ｕ）の裾側に沿う係止溝（Ｄ）をそれぞれ形成する一対の溝形成手段（２６）を備え、圃場面側に繰出された農業用シート（１６）を係止溝（Ｄ）内に順次押込んで係止する押込手段（２８）を前記一対の溝形成手段（２６）の真後ろ側にそれぞれ設け、畝（Ｕ）方向への走行に伴って前記畝（Ｕ）に農業用シート（１６）を被覆するシート敷設装置であって、係止溝（Ｄ）内で折返されて農業用シート（１６）の端が係止溝（Ｄ）から露出するように、繰出された農業用シート（１６）における端よりも左右内側部分を係止溝（Ｄ）内に押込む位置に各押込手段（２８）を配置し、畝（Ｕ）の側方に配置されたサイドカバー（５３）の前端側が溝形成手段（２６）の真後側に配置するように該サイドカバー（５３）を配置し、サイドカバー（５３）の該前端側に係止溝（Ｄ）内に挿入される挿入部（５４ａ）を形成したシート敷設装置。
【請求項２】
挿入部（５４ａ）の下端部に上記係止溝（Ｄ）の底側の左右幅を拡大させる底側形成部（５９）を設けた請求項１に記載のシート敷設装置。
【請求項３】
繰出された農業用シート（１６）を左右方向押込手段（２８）側に案内するガイド部（５８）を、押込手段（２８）の前側に配置した請求項１又は２の何れかに記載のシート敷設装置。
【請求項４】
農業用シート（１６）を畝（Ｕ）側に押圧するように背面視下方に向って左右内側に傾斜した押圧輪（６８）を押込手段（２８）の後側に配置した請求項１乃至３の何れかに記載のシート敷設装置。
【請求項５】
側面視押込手段（２８）の前方斜め上方側に左右方向のガイドローラ（２９）を軸回りに回転自在に支持し、該ガイドローラ（２９）を全長が農業用シート（１６）の左右幅よりも短くなるように形成し、ガイドローラ（２９）の回転作動に伴って後方斜め下方側に案内される農業用シート（１６）に弾力的に当接する棒状の当接体（８３）を、ガイドローラ（２９）の左右端側にそれぞれ設けた請求項１乃至４の何れかに記載のシート敷設装置。
【請求項６】
農業用シート（１６）が巻付けられた左右方向のシートロール（１８）を該農業用シート（１６）が繰出されるように軸回りに回転自在に支持し、該シートロール（１８）の左右位置を変更調整する平行リンク機構（２７）を設けた請求項１乃至５の何れかに記載のシート敷設装置。
【発明の詳細な説明】
【技術分野】
【０００１】
この発明は、畝方向への走行に伴って畝に農業用シートを被覆するシート敷設装置に関する。
【背景技術】
【０００２】
保温や保水や防虫等を目的として、畝に農業用シートを被覆することが、作物の有効な栽培方法の１つとして知られている。従来は、この農業用シートの畝への敷設作業を手作業で行っていたが、これでは手間が増加して品質の良い作物を低コストで生産することが困難になるという問題があった。
【０００３】
これに対して、被覆対象となる畝の左右最外端側に畝の裾側に沿う係止溝をそれぞれ形成する一対の溝形手段を備え、圃場面側に繰出された農業用シートを係止溝内に順次押込んで係止する押込手段を前記一対の溝形成手段の真後ろ側にそれぞれ設け、畝方向への走行に伴って前記畝に農業用シートを被覆する特許文献１に示すシート敷設装置が公知である。
【先行技術文献】
【特許文献】
【０００４】
【特許文献１】特開２００７−２８９０９３号公報（第６頁、第８図）
【特許文献２】特開２００８−１８７９７７号公報（第３−５頁）
【発明の概要】
【発明が解決しようとする課題】
【０００５】
上記文献のシート敷設装置は、農業用シートの端部側が係止溝内に係止されるため、畝を農業用シートによって安定的に被覆できる一方で、農業用シートの端部が係止溝に押込まれた後に土寄せが行われ、該端部が土中に完全に埋設されるため、生育の所定段階において農業用シートを畝から取外す際に手間がかかることがあり、作物の生産コストを低く抑えることが困難になる場合がある。
【０００６】
本発明は、農業用シートの畝への安定した被膜作業を手間無く行うことを可能とするとともに、畝からの農業用シートの取外し作業の手間も低減されるシート敷設装置を提供することを課題とする。
【課題を解決するための手段】
【０００７】
上記課題を解決するため本発明は、第１に、被覆対象となる畝Ｕの左右最外端側に畝Ｕの裾側に沿う係止溝Ｄをそれぞれ形成する一対の溝形成手段２６を備え、圃場面側に繰出された農業用シート１６を係止溝Ｄ内に順次押込んで係止する押込手段２８を前記一対の溝形成手段２６の真後ろ側にそれぞれ設け、畝Ｕ方向への走行に伴って前記畝Ｕに農業用シート１６を被覆するシート敷設装置であって、係止溝Ｄ内で折返されて農業用シート１６の端が係止溝Ｄから露出するように、繰出された農業用シート１６における端よりも左右内側部分を係止溝Ｄ内に押込む位置に各押込手段２８を配置し、畝Ｕの側方に配置されたサイドカバー５３の前端側が溝形成手段２６の真後側に配置するように該サイドカバー５３を配置し、サイドカバー５３の該前端側に係止溝Ｄ内に挿入される挿入部５４ａを形成したことを特徴としている。
【０００８】
第２に、挿入部５４ａの下端部に上記係止溝Ｄの底側の左右幅を拡大させる底側形成部５９を設けたことを特徴としている。
【０００９】
第３に、繰出された農業用シート１６を左右方向押込手段２８側に案内するガイド部５８を、押込手段２８の前側に配置したことを特徴としている。
【００１０】
第４に、農業用シート１６を畝Ｕ側に押圧するように背面視下方に向って左右内側に傾斜した押圧輪６８を押込手段２８の後側に配置したことを特徴としている。
【００１１】
第５に、側面視押込手段２８の前方斜め上方側に左右方向のガイドローラ２９を軸回りに回転自在に支持し、該ガイドローラ２９を全長が農業用シート１６の左右幅よりも短くなるように形成し、ガイドローラ２９の回転作動に伴って後方斜め下方側に案内される農業用シート１６に弾力的に当接する棒状の当接体８３を、ガイドローラ２９の左右端側にそれぞれ設けたことを特徴としている。
【００１２】
第６に、農業用シート１６が巻付けられた左右方向のシートロール１８を該農業用シート１６が繰出されるように軸回りに回転自在に支持し、該シートロール１８の左右位置を変更調整する平行リンク機構２７を設けたことを特徴としている。
【発明の効果】
【００１３】
本発明によれば、畝の裾側に沿う係止溝に係止された状態で該畝に安定的に被覆される農業用シートは、係止溝内で折返され、その左右端が係止溝から露出しているため、この左右端側を引張り上げる等によって、農業用シートの畝からの取外し作業を容易に行うことが可能になる。
【００１４】
また、繰出された農業用シートを左右方向押込手段側に案内するガイド部を、押込手段の前側に配置すれば、農業用シートを、上記所定姿勢で、より安定的に係止溝に係止可能になる。
【００１５】
また、畝の側方に配置されたサイドカバーの前端側が溝形成手段の真後側に配置するように該サイドカバーを配置し、サイドカバーの該前端側に係止溝内に挿入される挿入部を形成すれば、挿入部によって、さらに安定的に係止溝を形成可能になる他、サイドカバーに挿入部を設けるため、挿入部を設けるために別途部材を用意する必要が無い。
【００１６】
さらに、挿入部の下端部に上記係止溝の底側の左右幅を拡大させる底側形成部を設ければ、農業用シートを、上記所定姿勢で、より効率的に係止溝内に押込むことが可能になる。
【００１７】
なお、農業用シートを畝側に押圧するように背面視下方に向って左右内側に傾斜した押圧輪を押込手段の後側に配置すれば、より安定的に農業用シートを畝に被覆することができる。
【００１８】
また、側面視押込手段の前方斜め上方側に左右方向のガイドローラを軸回りに回転自在に支持し、該ガイドローラを全長が農業用シートの左右幅よりも短くなるように形成し、ガイドローラの回転作動に伴って後方斜め下方側に案内される農業用シートに弾力的に当接する棒状の当接体を、ガイドローラの左右端側にそれぞれ設ければ、繰出される際の農業用シートの弛みを、効率的に防止可能になる。
【００１９】
また、農業用シートが巻付けられた左右方向のシートロールを該農業用シートが繰出されるように軸回りに回転自在に支持し、該シートロールの左右位置を変更調整する平行リンク機構を設ければ、作業環境に対応させて農業用シートの繰出し状態を容易に変更できるため、汎用性が向上する。
【図面の簡単な説明】
【００２０】
【図１】本発明が適用されたトラクタの全体側面図である。
【図２】シート敷設装置の側面図である。
【図３】シート敷設装置の平面図である。
【図４】シート敷設装置の背面図である。
【図５】（Ａ）は、溝形成ディスクによる係止溝の形成状態を示す背面図であり、（Ｂ）は、押込ディスク及び押圧輪による農業用シートの被膜作業の様子を示す背面図であり、（Ｃ）は、端側が係止溝に係止された農業用シートの状態を示す背面図である。
【図６】（Ａ）は、支持機構の構成を示す要部平面図であり、（Ｂ）は、規制機構の構成を示す要部正面図である。
【図７】ロール軸の構成を示す要部平断面図である。
【図８】（Ａ）は、シート敷設装置の未使用時の側面図であり、（Ｂ）は平畝Ｕに農業用シート１６を敷設する場合の背面図である。
【発明を実施するための形態】
【００２１】
図１は、本発明が適用されたトラクタの全体側面図であり、作業車両の一種であるトラクタは、左右一対の前輪１，１及び後輪２，２を有する走行機体３の後部に、リンク機構４を介して作業機の一種であるシート敷設装置６を連結することにより構成されており、圃上に複数並列された畝Ｕの形成方向に車体を前進走行させ、この畝Ｕ方向への前進走行に伴ってシート敷設作業を行う。
【００２２】
走行機体３は、４つの車輪１，２によって支持された前後方向の車台７上の前側半部に図示しないエンジンをカバーする開閉自在なボンネット８を設け、車台７上のボンネット８の後方に操縦部９を設置することにより構成されている。操縦部９は、座席１１と、座席１１の前方に配されたステアリングハンドル１２と、ステアリングハンドル１２の側方に前後揺動操作可能に支持された切換レバー１３と、座席１１の側方に前後揺動操作可能に支持された変速レバー１４とを備えている。
【００２３】
座席１１に着座したオペレータは、前後進切換レバー１３の前後揺動操作によって車体の前後進切換を行うとともに、変速レバー１４の前後揺動操作によって走行変速操作を行う他、ステアリングハンドル１２によって操向操作を行う。
【００２４】
次に、シート敷設装置６の構成を詳述する。
図２乃至４は、シート敷設装置の側面図、平面図及び背面図である。本トラクタでは、走行機体３が複数（図示する例では２つ）の畝Ｕを跨ぐように、左右で隣合う畝Ｕの間に凹状形成された谷部Ｔに、左右の前輪１，１及び左右の後輪２，２を位置させた状態で、車体を前進走行させ、該前進走行に伴って、走行機体３の幅方向に延びるシート敷設装置６から農業用シート１６を繰出し、該繰出された農業用シート１６を畝Ｕに被覆する。
【００２５】
このシート敷設装置６は、走行機体３の機体幅よりも長い左右幅を有し、その左右方向中央部（中央部）が背面視で走行機体３の左右中央部（中央部）に位置しているため、シート敷設装置６の左側部分及び右側部分が、背面視で、走行機体３から横方向に突出している。これによって、該シート敷設装置６は、走行機体３が跨ぐ畝Ｕの数よりも多い数（図示する例では４つ）の畝Ｕに一気に農業用シート１６を被覆できる。
【００２６】
ちなみに、図示する各畝Ｕは、背断面視山形に湾曲した高畝であり、左右の谷部Ｔ近傍に最も低い裾部ｕ１が形成され、左右方向中央部に最も高い頂部ｕ２が形成される。この他、農業用シート１６は保温効果や防霜効果が高くフレキシブルに変形可能な不織布であり、該農業用シート１６を左右方向に延びる円筒状の心材１７（図７参照）の外周に巻付けることにより横方向に円柱状をなすシートロール１８を構成している。
【００２７】
車体の前進走行に伴って畝Ｕへの農業用シート１６の被覆作業を行うため、該シート敷設装置６は、左右幅方向全体に亘り形成される横方向の主フレーム１９と、主フレーム１９の左右方向中央（中央）側に設置されてリンク機構４に連結される複数の連結ピン２１，２２と、主フレーム１９側から下方側に延設された上下方向の支柱２３を介して回転自在に支持された側面視円形の接地輪２４と、被覆対象となる複数の畝Ｕの内で最も左右方向外側に位置する畝Ｕ（最外側畝Ｕ）における左右外側の裾部ｕ２側（裾側）に係止溝Ｄを形成する円盤状の溝形成ディスク（溝形成手段）２６と、支持機構２７を介して自身の軸回りに回転自在に支持される上述のシートロール１８と、該シートロール１８からの農業用シート１６を上記係止溝Ｄ内に押込んで係止する円盤状の押込ディスク（押込手段）２８と、シートロール１８からの農業用シート１６を押込ディスク２８側に案内する左右方向のガイドローラ２９と、予備のシートロール１８が載置支持される左右一対のロールステー３１とを備えている。
【００２８】
上記主フレーム１９は、左右方向に延びる角柱状（さらに具体的には四角柱状）の金属製の横フレーム３２と、横フレーム３２の左右両端側からさらに左右外側にそれぞれ延設される横方向の延長フレーム３３とから構成される。左右の各延長フレーム３３は、横フレーム３２と略同一の断面形状を有する左右方向の角柱状に成形された金属製部材であって、左右内側半部が平面視で横フレーム３２とラップするようにして横フレーム３２の上面側に当接され、固定具３４によって両者が定着固定されている。
【００２９】
上記複数の連結ピン２１，２２について説明すると、主フレーム１９の左右対称位置には、前方斜め下方側に延びるロア側ブラケット３６がそれぞれ突設され、主フレーム１９の左右方向中央部には、前方斜め上方側に延びる左右一対のトップ側ブラケット３７が一体的に突設されており、平面視で左右のロア側ブラケット３６，３６の間に配された一対の上記トップ側ブラケット３７によって、左右方向のトップ側ピン２１の両端部を係脱自在に支持固定するとともに、左右の各ロア側ブラケット３６に左右方向のロア側連結ピン２２の左右内側端部が係脱自在に片持ち支持されている。
【００３０】
一方、リンク機構４は、左右一対の前後方向のロアリンク３８，３８と、平面視左右のロアリンク３８，３８の間に配置され該ロアリンク３８の上方側に位置する前後方向トップリンク３９とから構成されている。このロアリンク３８及びトップリンク３９は、上下揺動自在に前端部が走行機体３に取付支持され、左右のロアリンク３８は、走行機体３側に支持された左右のリフトアーム４１にそれぞれリフトロッド４２を介して吊下げ支持され、このリフトアーム４１が図示しない油圧シリンダの伸縮によって上下揺動駆動されることにより、ロアリンク３８及びトップリンク３９の上下揺動位置が調整される。
【００３１】
そして、左右の各ロアリンク３８の後端部に対応する左右の各ロア側連結ピン２２を軸回りに回動自在に挿通させるとともに、各トップリンク３９の後端部にトップ側連結ピン２１を軸回りに回動自在に挿通させることにより、シート敷設装置６が走行機体３に上下高さ調整可能に連結される。ちなみに、このシート敷設装置６の高さ調整に際しては、左右のロアリンク３８の上下揺動調整に伴って、トップリンク３９前端部とトップ側連結ピン２１との距離が変化するが、トップリンク３９を軸方向に伸縮調整することによって、この距離変化に対応させる。
【００３２】
上記接地輪２４は左右の後輪２の真後ろ側に遊転状態で支持され、この左右の各接地輪４は背面視前後輪１，２とラップする位置に配されている。言換えると、前後輪１，２及び接地輪２４は、同一の谷部Ｔに接地されている。この接地輪２４の支持構造について説明すると、上述した支柱２３は、接地輪２４毎に設けられ、各支柱２３の上端部側は、接地側固定具４３を介して軸方向に移動調整可能に主フレーム１９に取付固定され、この各支柱２３の下端部からは後方に向かって接地側ブラケット４４が一体的に延設され、この各接地側ブラケット４４後端部に接地輪２４が回転自在に支持されている。そして、この左右の接地輪２４を圃場の谷部Ｔにそれぞれ接地させることにより、シート敷設装置６の略全体の荷重がかかる主フレーム１９を左右バランス良く支持している。
【００３３】
上記溝形成ディスク２６は、平面視で、左右一対の最外側畝Ｕにおける左右外側の裾側にそれぞれ配置され、この左右の各溝形成ディスク２６は、板状部材を背面視逆Ｕ字状に湾曲形成することによりなる形成側ブラケット４６の下端部に、左右方向の形成軸４７によって、遊転状態で支持されている。上述の接地輪２４が圃場の谷部Ｔに接地されると、溝形成ディスク２６の下端側が側面視で圃場の土中に所定量挿入され、該状態の溝形成ディスク２６が車体の前進走行に伴って回転作動することにより、最外側畝Ｕの裾側（谷部Ｔ又は谷部Ｔ近傍）に、該畝Ｕに沿って係止溝Ｄが凹設される。
【００３４】
また、溝形成ディスク２６の周縁部２６ａは、径方向外側に向かって次第に厚みが薄くなる正面視楔状に形成されて鋭く尖っており、この周縁部２６ａによって係止溝Ｄの形成が円滑に行われるように構成されている。この他、形成側ブラケット４６には、溝形成ディスク２６の最外側畝Ｕ側（内側）側面に近接する掻落し体となる板状のスクレーパ４８が設置されている。このスクレーパ４８は、溝形成ディスク２６の回転作動に伴って、溝形成ディスク２６の側面側に付着した泥等を掻落すように構成されている。
【００３５】
この各溝形成ディスク２６の支持構造について説明すると、形成側ブラケット４６上端から上方に一体的に突出する上下方向の支持杆４９の上端側を、主フレーム１９における近い側の延長フレーム３３中途部から後方に延設された形成側固定具５１に、挿通状態で軸方向に移動調整可能に取付固定することにより、該溝形成ディスク２６が主クレーム１９側に支持されている。この支持杆４９の軸方向の移動調整によって、溝形成ディスク２６の対地高さが変更され、係止溝Ｄの深さを調整する。ちなみに、この形成側固定具５１は、横フレーム３２と延長フレーム３３とを前後から挟持して定着させる定着具としても機能している。
【００３６】
また、この左右の各支持杆４９の中途部には、後方に延びるカバーブラケット５２が一体的に取付固定されており、左右のカバーブラケット５２には、最外側畝Ｕの外側側方を覆うサイドカバー５３がそれぞれボルト固定されている。左右の各サイドカバー５３は、カバーブラケット５２から溝形成ディスク２６を避けるようにして後方斜め下方に傾斜した支持カバー５４と、支持カバー５４の中途部の外側側面に取付固定されたサブカバー５６と、支持カバー５４の内側側面に取付固定されたメインカバー５７とから構成されている。
【００３７】
メインカバー５７は、支持カバー５４から側面視上方及び後方側に延長された前後方向のカバー体であって、最外側畝Ｕの外側側面に沿うように上端部全体が左右内側に曲げ形成される。一方、支持カバー５４の後部側及びサブカバー５６は、下部に対して上部が左右外側に曲げ形成されている。このため、支持カバー５４及びサブカバー５６と、メインカバー５７とにより、背面視楔状のガイド部５８が形成され、このガイド部５８は上述した溝形成ディスク２６の真後ろ側に位置している。以上により、該左右のガイド部５８は、車体の前進走行に伴って後方側に繰出される農業用シート１６の左右端側を、それぞれ楔の底側に落し込むようにして、左右方向押込ディスク２８側及び係止溝Ｄ側に案内するように構成されている。
【００３８】
さらに、サイドカバー５３が係止溝Ｄ内に挿入されるように、サイドカバー５３下端部の前後方向全体を溝形成ディスク２６の真後ろ側に配置することにより、サイドカバー５３の支持カバー５４前端部に、係止溝Ｄ内に挿入される挿入部５４ａを形成している。この挿入部５４ａ下端部の上下位置は溝形成ディスク２６の下端部の上下位置と略一致しており、係止溝Ｄ内に挿入された際には係止溝Ｄの底側に位置した状態になり、挿入部５４ａの該下端部には底側形成部５９が設けられている。この挿入部５４ａは、溝形成ディスク２６の左右幅と略同一か、又は若干幅広に形成され、底側形成部５９はさらにこれよりも幅広に形成されているため、溝形成ディスク２６の回転作動によって形成された係止溝Ｄの左右幅（特に底側の左右幅）は、挿入部５４ａ及び底側形成部５９によって拡大される。
【００３９】
上記押込ディスク２８は、左右の溝形成ディスク２６，２６の真後ろ側における上記ガイド部２６よりもさらに後方側にそれぞれ配置されている。押込ディスク２８の支持構造について説明すると、左右の延長フレーム３３左右外側寄り箇所に配設された左右方向の揺動軸６１回りに上下揺動可能に支持された前後方向の係止側アーム６２と、各係止側アーム６２の後端部に上端部が取付固定された上下方向の係止側ロッド６３と、各係止側ロッド６３の下端部に左右外側端部が取付固定されて左右方向に延びる係止側ステー６４と、各係止側ステー６４の左右内側端部に前端部が支持された前後方向の押込側支持棒６６と、各押込側支持棒６６の後端部に上端部が支持された押込側ロッド６７とが本シート敷設装置６には設けられおり、左右の押込ディスク２８は、左右の対応する各押込側ロッド６７の下端部にそれぞれ遊転状態で支持されている。
【００４０】
接地輪２４が圃場の谷部Ｔに接地されている際に、係止側アーム６２が最下方位置まで揺動されると、押込ディスク２８の下端側が係止溝Ｄ内に挿入されるように、該押込ディスク２８の高さが設定されている。ちなみに、この際の押込ディスク２８の係止溝Ｄへの挿入深さは、係止溝Ｄの深さよりも若干浅くなる。そして、各係止側アーム６２と主フレーム１９との間に介設された引張スプリング等の弾性部材６５によって、係止側アーム６２は下方揺動側に弾性的に付勢され、無負荷状態の際には最下方位置で保持される。
【００４１】
このため、車体の前進走行時、ガイド部５８によって押込ディスク２８の下端側まで案内されてくる農業用シート１６の端側は、回転作動する押込ディスク２８によって、順次係止溝Ｄ内に弾性的に押込まれ、係止されていく。
【００４２】
また、この各押込ディスク２８後側の外側側方に、近接状態で、押圧輪６８が遊転状態で支持されている。左右の押圧輪６８，６８は、背面視下方に向かって互いに近づくように左右内側に傾斜した姿勢で、支持されており、左右両端側が係止溝Ｄに係止された農業用シート１６及び係止溝Ｄ近傍の土等を、最外側畝Ｕの左右外側裾部ｕ１側に押圧するように構成されている。
【００４３】
この押圧輪６８の支持構成について説明すると、各押圧輪６８は、近い側の係止側ステー６４の中途部に後方突出する押圧側アーム６９を上下揺動可能に支持し、該押圧側アーム６９の後端部に上下方向の押圧側ロッド７１の上端側と取付固定し、左右の各押圧側ロッド７１の下端部に対応する各押圧輪６８を回転自在に支持している。この押圧側アーム６９と、係止側ステー６４との間には引張スプリング７２が設けられており、該引張スプリング７２によって押圧側アーム６９は、農業用シート１６等を押圧する側である下方揺動側に付勢されている。
【００４４】
また、この左右の各係止側アーム６２は、前部寄りの箇所が屈曲されており、この屈曲部分に側面視円状の係合リング７３が一体形成されている。左右の係止側アーム６２の係合リング７３の間にワイヤ等を架渡し、このワイヤの左右中央部分をクレーンのフック部に引掛けて係合させることにより、クレーンによる吊上げ搬送が可能になり、走行機体３から取外した状態の本シート敷設置装置６を、トラック等の荷台に積む作業や、該荷台から降ろす作業を容易に行うことが可能になる。
【００４５】
さらに、各係止側ロッド６３には、後方突出する前後方向の操作レバー７４が設置されており、本シート敷設装置６の後方側の作業者は、該操作レバー７４を把持し、係止側アーム６２を上下揺動させて押込ディスク２８及び押圧輪６８を上下動させることにより、押圧・押圧解除操作や、押込・押込解除操作を行うことが容易になる。
【００４６】
上記ガイドローラ２９は、左右方向に延びる円柱状に成形され、その外周面側がスポンジ等の弾性変化可能な部材で構成されている。ガイドローラ２９の全長は、シートロール１８（農業用シート１６）の全長に比べて短く設定されており、ガイドローラ２９の中心の左右位置がシートロール１８の中心の左右位置と一致するように配置構成される。
【００４７】
該ガイドローラ２９は、左側の係合側アーム６２及び係合側ロッド６３と、右側の係合側アーム６２及び係合側ロッド６３との間に配置された左右一対のガイド側アーム７６及びガイド側ロッド７７によって、自身に軸回りに回転可能に支持されている。
【００４８】
具体的には、左右一対のガイド側アーム７６，７６は、全体が上下回動するように基端側が、左右方向の回動軸７８を介して主フレーム１９の左右対称位置にそれぞれ支持されており、各ガイド側アーム７６の先端部には、ガイド側アーム７６の交差方向（図示する例では直行方向）に延びるガイド側ロッド７７の基端部が、ガイド側固定具７９によって取付固定されている。
【００４９】
左右の回動軸７８は同一軸心上に配置されるとともに該左右のガイド側アーム７６は先端側同士が左右方向の連結杆８１によって連結されているため、左側のガイド側アーム７６及びガイド側ロッド７７と、右側のガイド側アーム７６及びガイド側ロッド７７とは、常に同一の姿勢を保持しながら、上記回動軸７８回りに上下回動される。
【００５０】
そして、左右のガイド側ロッド７７の先端部間に、ガイドローラ２９を、自身の軸回りに回転自在に架設支持している。ちなみに、この連結杆８１を把持することによって、ガイド側アーム７６の回動軸７８回りの回動操作を容易に行うことが可能になる。
【００５１】
また、該回動軸７８回りの回動操作によってガイドローラ２９は、ガイド側アーム７６の先端側が後方に突出してガイド側ロッド７７の先端側が下方の延出された状態であるガイド状態と、ガイド側アーム７６の先端側が上方側に突出してガイド側ロッド７７の先端側が後方に延出された状態である退避状態との切換可能に構成されている。そして、ガイド側アーム７６の基端側には、ガイド状態と退避状態のそれぞれで各ガイド側アーム７６及び各ガイド側ロッド７７の姿勢の固定・固定解除を行うロックピン８２が係脱自在に設けられている。
【００５２】
ガイド状態時、ガイドローラ２９は側面視でシートロール１８の真下側且つ押込ディスク２８の前方斜め上方側に位置している。このため、該ガイド状態時のガイドローラ２９は、シートロール１８から下方側に繰出された農業用シート１６に後面側から弾力的に当接して前方側にテンションを付与するとともに、回転作動によって当接した農業用シート１６を後方斜め下方側のガイド部５８側（押込ディスク２８側）まで弛み無く案内するように構成されている。
【００５３】
一方、退避姿勢時、ガイドローラ２９は、主フレーム１９の真上側に退避してシートロール１８の後方側を大きく開放させるように構成されており、これによって、シートロール１８の着脱作業の容易化を図るとともに、メインテンス性を向上させている。
【００５４】
また、上述の各ガイド側固定具７９は、ガイド側アーム７６の軸方向に移動調整可能に固定されるとともに、上述の各ガイド側ロッド７７は、自身の軸方向に移動調整可能にガイド側固定具７９に挿通固定される。このため、ガイド状態時のガイドローラ２９は、前後及び上下に位置調整可能であり、この位置調整によって、作業状態や圃場の状態に応じて、ガイドする農業用シート１６に適切なテンションを付与することが可能になる。このため、農業用シート１６の弛みをより効率的に防止できるとともに、より安定したガイドを行うことが可能になる。
【００５５】
さらに、左右の各ガイド側ロッド７７の先端部（ガイドローラ２９の左右の各端側）には、外側側方に突出した紐状（棒状）の当接体８３が上下一対で設けられている。この上下一対の当接体８３は、突出端側である先端部に向かって互いに上下で近づく他、それぞれ先端側に向かって後方に湾曲形成されている。この各当接体８３は、少なくとも先端側が弾性変形可能に構成されており、ガイドローラ２９によって後方斜め下方側に案内される農業用シート１６に後面側から弾力的に当接し、農業用シート１６が弛むのを、さらに効率的に防止している。ちなみに、このように当接体８３と当接させるためには、上述したように、ガイドローラ２９の全長を、シートロール１８の全長よりも短くする必要がある。
【００５６】
上記シートロール１８は、上述したように支持機構２７を介して主フレーム１９側に支持されるが、この支持機構２７は、シートロール１８を左右に平行移動させる平行リンクを構成している。このため、シートロール１８からの繰出し位置が適切できない場合には、左右位置の微調整を行うことにより、農業用シート１６の繰出し位置を適切に保持することが可能になる。
【００５７】
上記ロールステー３１は、左右の各延長フレーム３３の左右内側端部にステー側固定具８４を介して下端側が取付固定された上下方向のロール支柱８６と、各ロール支柱８６の上端部に設置された側面視Ｕ字状のロール受部８７とから構成されている。この左右のロール受部８７に予備のシートロール１８を架渡すように載置して支持する。左右のステー側固定具８４は、横フレーム３２と、左右の延長フレーム３３とをそれぞれ締着固定させる締着具としても機能している。
【００５８】
以上のように構成されるシート敷設装置６は、走行機体３に非オフセット状態で左右バランス良く連結され、溝形成ディスク２６と、底側形成部５９を有する挿入部５４ａと、押込ディスク２８と、押圧輪６８とを１組として、左右にそれぞれ１組づつ設けられており、左右の各組の溝形成ディスク２６と挿入部５４ａと押込ディスク２８とが前後一直線上に並べられている。
【００５９】
溝形成ディスク２６および押込ディスク２８および押圧輪６８は、圃場面または農業用シート１６側との接当によって、動力を必要とすると無く、車体の前進走行に伴って正転方向に回転される。このため、走行機体３側のエンジン側動力の回転動力を、ＰＴＯ軸等により、シート敷設装置６側に伝動する必要が無い。一方、農業用シート１６も、シートロール１８から本シート敷設装置６の後方側に繰出された部分が圃場側に係止される等ことにより、車体の前進走行に伴ってシートロール１８から自動的に繰出し作動される状態になる。
【００６０】
このようにして、前進走行に伴って、シートロール１８から農業用シート１６が繰出されるとともに、溝形成ディスク２６および押込ディスク２８および押圧輪６８が正転側に回転作動されることにより、係止溝Ｄの形成作業と、係止溝Ｄへの農業用シート１６の係止とが同時に行われ、左右並列された複数畝Ｕへの被覆作業が円滑且つ迅速に行われる。
【００６１】
次に、図５に基づき、本シート敷設装置６を用いて、畝Ｕに農業シート１６を被覆する手段について説明する。
図５（Ａ）は、溝形成ディスクによる係止溝の形成状態を示す背面図であり、（Ｂ）は、押込ディスク及び押圧輪による農業用シートの被膜作業の様子を示す背面図であり、（Ｃ）は、端側が係止溝に係止された農業用シートの状態を示す背面図である。
【００６２】
畝Ｕの形成方向に車体を前進走行させると、溝形成ディスク２６の回転作動によって、各最外側畝Ｕの左右外側の裾部側ｕ２に係止溝Ｄが凹設され、該係止溝Ｄの左右幅が挿入部５４ａの底側形成部５９等によって拡大される。続いて、車体の前進に伴い圃場面側に順次繰出される農業用シート１６の左右端側は、ガイド部５８によって、押込ディスク２８真下側に案内され、その後、係止溝Ｄ内に一部が挿入された該押込ディスク２８の正転側への回転作動によって該係止溝Ｄ内の押込まれて係止される。
【００６３】
この際、農業用シート１６における端よりも所定距離左右方向内側箇所を、押込ディスク２８によって係止溝Ｄに押込むように、該押込ディスク２８の左右位置が設定されており、この配置構成によって農業用シート１６が係止溝Ｄ内で折返され、左右の各端が係止溝Ｄから上方側に露出した状態になる。ちなみに、このように、農業用シート１６の左右端を係止溝Ｄから露出状態とするため、該所定距離の値が設定されるが、具体的には、農業用シート１６の係止溝Ｄ内への挿入量よりも大きい値に設定される。
【００６４】
続いて、押圧輪６８によって、農業用シート１６及びその近傍の土等を、最外側畝Ｕ側に押圧することにより、係止溝Ｄの開放端側が幅狭になって略閉じされた状態になり、係止溝Ｄに農業用シート１６が確実に係止せしめられる。
【００６５】
そして、農業用シート１６の係止溝Ｄから突出した露出部１６ａを、作業者が引張上げることにより、農業用シート１６の畝Ｕ裾側の係止を解除して、複数畝Ｕに被覆された農業用シート１１を迅速に取外すことが可能になる。また、この際、畝Ｕからの取外しと同時に、農業用シート１６を巻き直してシートロールを形成することもできる。
【００６６】
次に、図２，６及び７に基づき、シートロール１８の構成を詳述する。
図６（Ａ）は、支持機構の構成を示す要部平面図であり、（Ｂ）は、規制機構の構成を示す要部正面図である。シートロール１８を支持する支持機構２７は、主フレーム１９の左右最外端側（図示する例では、）からそれぞれ後方に突出する左右一対の支持アーム８８，８８と、左右の支持アーム８８，８８の後端側間に自身の軸回りに回転自在に支持される左右方向の前記シートロール１８とを備えている。
【００６７】
各支持アーム８８の前端部は、主フレーム１９に左右回転自在に支持されている一方で、左右の支持アーム８８の後端部には、シートロール１８の軸心に挿通されて該シートロールを左右の支持アーム８８間に支持する左右方向のロール軸８９の左右端側がそれぞれ左右回動自在に支持される。以上、支持機構２７は、ロール軸８９、左右の支持アーム８８，８８及び主フレーム１９によって、シートロール１８を横方向に平行移動させる平行リンクを構成している。
【００６８】
この左右の各支持アーム８８の後端部からは、後方に向かって前後方向のレバー操作具９１が一体的に延設され ている。この左右の各レバー操作具９１は、支持アーム８８の前端側を支点に該支持アーム８８と一体で左右揺動するように構成されている。連結固定された支持アーム８８と、レバー操作具９１とは、全体として、側面視楔状をなしている。
【００６９】
該構成の支持機構２７には、各支持アーム８８及びレバー操作具９１が真後ろ側を向いた基本姿勢で、シートロール１８の左右平行移動を規制する規制機構９２が設けられている。規制機構９２は、主フレーム１９の左右一方側端から後方に一体的に突設された前後方向のロック側フレーム９３と、ロック側フレーム９３の後端部に固設された上下方向の筒状部９４と、筒状部９４に上下スライド移動可能に挿入支持された棒状の切換部材９６とを備えている。
【００７０】
切換部材９６は、上下方向に延びた下部及び中途部に対して、上部が逆Ｕ字状に曲げ形成されており、この切換部材９６の逆Ｕ字状部分の中央部からは下方に向って棒状の規制体９７が突設されている。この切換部材９６は、筒状部９４に上下動可能に挿通された部分の軸回りに回動可能である。
【００７１】
そして、まず、支持アーム８８の基本姿勢への切換を行い、その後、この切換部材９６の全体を上方移動させ、続けて、上部側が内側側方に向くように切換部材９６を回動させた後、切換部材９６を下方に移動させると、切換部材９６の上部と、規制体９７との間に、基本姿勢の支持アーム８８が位置し、両部材に挟まれて左右揺動が規制されたロック状態になる。一方、このロック状態から、切換部材９６の全体を上方移動させ、続けて、上部側が外側側方に向くように切換部材９６を回動させると、上記ロック状態が解除され、レバー操作具９１の左右揺動によって、シートロール１８を自由に左右方向に平行移動させることが可能なロック解除状態になる。
【００７２】
図７は、ロール軸の構成を示す要部平断面図である。図２，６及び７に示すように、各支持アーム８８後端部の上側に側面視Ｕ字状の支持体９８を固設し、この左右の支持体９８に、軸受部９９を介して、ロール軸８９の左右端部をそれぞれ軸回りに回転自在に支持している。
【００７３】
ロール軸８９は、両側が開放された左右方向に延びる円筒状の主軸１０１と、主軸１０１の両端に挿入固定される支持軸１０２とから構成されている。
【００７４】
主軸１０１の左右対称位置には、円盤状の位置決め部材１０３がそれぞれ設けられている。シートロール１８は、その心材１７の内周面側に主軸１０１を挿通させ、上記左右の位置決め部材１０３によって、心材１７（シートロール１８）の左右両端が挟持されることにより、左右位置が固定又は略固定された状態で、主軸１０１に取付支持されている。
【００７５】
左右の各支持軸１０２は、自身の軸方向に対して斜めに傾斜する面によって内側軸１０４と、外側軸１０６とに左右分割形成されている。
【００７６】
左右内側に配される内側軸１０４は、合成樹脂によって一体成形され、軸心を貫くネジ孔１０４ａが穿設されており、内側軸１０４の外周を主軸１０１の内周側に嵌合挿入した状態で、上述した位置決め部材１０３によって、主軸１０１の内周側に着脱可能に固定されている。ちなみに、位置決め部材１０３による内側軸１０４の主軸１０１側への固定・固定解除は、位置決め部材１０３に設置されたロックレバー１０７の回動操作によって行うが、このロックレバー１０７による固定・固定解除によって、位置決め部材１０３自体の主軸１０１側への固定・固定解除も行われる。
【００７７】
左右外側に配される外側軸１０６は、内側軸１０４と同一の外径を有する外筒軸１０６ａと、該外筒軸１０６ａの内径と略同一又は若干小さい外径を有する内筒軸１０６ｂとから構成されている。内側軸１０４と同一軸心となって支持軸１０２の一部を構成する上記外筒軸１０６ａ及び内筒軸１０６ｂの左右外側端部には、それぞれ径方向外側に延びるフランジ部が一体的に形成されている他、この内筒軸１０６ｂは、外筒軸１０６ａの内周面側に嵌合挿入される。
【００７８】
外筒軸１０６ａ及び内筒軸１０６ｂのフランジ部の間に軸受部９９を位置させた状態で、内筒軸１０６ｂの内周側にノブ付ボルト１０８を挿通すると、該挿入したボルト１０８の先端部が、内側軸１０４まで達して該内側軸１０４のネジ孔１０４ａに係合挿入される。この状態で、ボルト１０８を締付けることにより、外筒軸１０６ａと内筒軸１０６ｂとが締着されて一体的な外側軸１０６を形成し、該外側軸１０６と内側軸１０４の斜面が略完全に重なり合い一体的な支持軸１０２を構成するとともに、軸受部９９が外筒軸１０６ａ及び内筒軸１０６ｂのフランジ部間に挟持される。この支持軸１０２は、上述したように、位置決め部材１０３によって、主軸１０１に固定されるめ、この固定状態では、主軸１０１と支持軸１０２とが一体回転する状態になる。
【００７９】
一方、上述の構成によれば、ノブ１０８ａを把持してノブ付ボルト１０８の内側軸１０４のネジ孔１０６ａからの係合を解除すると、支持軸１０２が内側軸１０４と外側軸１０６とに分離され、これに伴って、外側筒１０６から軸受部９９を取外すことも可能になる。以上により、主軸１０１及び内側軸１０４が装着された状態で、シートロール１８を、左右の支持アーム８８から取外すことが可能なる。このため、主軸１０１、位置決め部材１０３及び左右の内側軸１０４が装着された状態のシートロール１８を、上述した左右のロールステー３１，３１に保持させる。このことにより、シートロール１８の着脱作業を迅速に行うことが可能になる。
【００８０】
次に、図８に基づき、シート敷設装置６の他の使用形態について説明する。
図８（Ａ）は、シート敷設装置の未使用時の側面図であり、（Ｂ）は平畝Ｕに農業用シート１６を敷設する場合の背面図である。同図（Ａ）に示すように、本シート敷設装置６を走行機体３から取外して収容しておく際には、接地側固定具４３に、設置輪２４の代わりに、スタンド１０９を装着し、これによって、地面に接地させた際の安定性を向上させる。また、同図（Ｂ）に示すように、本シート敷設装置６は、高畝Ｕばかりでなく、平畝Ｕにも農業用シート１６を敷設することが可能である。具体的には、サイドカバー５３の種類を上下高さが低いものに変更したり、農業用シート１６の繰出し位置をより低くするため、ガイドローラ２９の上下高さを低くしたりする調整を行う。このようにして、平畝にも高畝にも対応可能であるため、汎用性が高い。ちなみに、平畝は、頂部ｕ２が高畝に比べてフラットに形成され、頂点の高さも高畝よりは低くなっている。
【符号の説明】
【００８１】
１６  農業用シート（不織布）
１８  シートロール
２６  溝形成ディスク（溝形成手段）
２７  支持機構（平行リンク機構，平行リンク）
２８  押込ディスク（押込手段）
２９  ガイドローラ
５３  サイドカバー
５４ａ  挿入部
５８  ガイド部
５９  底側形成部
６８  押圧輪
８３  当接体
Ｄ  係止溝Ｄ
Ｕ  畝
【図１】
0005751765.tif 000002
【図２】
0005751765.tif 000003
【図３】
0005751765.tif 000004
【図４】
0005751765.tif 000005
【図５】
0005751765.tif 000006
【図６】
0005751765.tif 000007
【図７】
0005751765.tif 000008
【図８】
0005751765.tif 000009